(57)【要約】【課題】緊急の撤去商品についてリアルタイムに販売禁止することが可能となる。【解決手段】商品ごとに販売禁止情報６７の商品か否かの設定をした商品情報６５を記憶する商品ローカルファイル１０２と、販売商品を登録するキーボード８８またはスキャナ９４と、登録された商品が販売禁止対象の商品か否かを商品ローカルファイル１０２で記憶する前記販売禁止情報６７から判定する。登録商品が販売禁止でない商品と判定されると当該登録商品を通常の商品販売データ処理をする。当該登録商品が販売禁止である商品と判定されると販売を禁止する。【選択図】      図１０
2008299741.tif 000002
【特許請求の範囲】
【請求項１】
商品販売データ管理装置に通信回線を介して管理され、商品販売データ処理を行う商品販売データ処理装置において、商品ごとに少なくとも販売禁止情報の商品か否かの設定をした商品情報を記憶する商品情報記憶手段と、販売商品を登録する商品登録手段と、この商品登録手段により登録された商品が販売禁止対象の商品か否かを前記商品情報の前記販売禁止情報から判定する販売禁止判定手段と、この販売禁止判定手段により当該登録商品が販売禁止対象外の商品と判定されると当該登録商品を通常の商品販売データ処理をする商品販売データ処理手段と、前記販売禁止判定手段により登録商品が販売禁止対象の商品と判定されると当該登録商品の販売を禁止する商品販売禁止手段と、を備えたことを特徴とする商品販売データ処理装置。
【請求項２】
表示手段を、さらに備え、前記販売禁止判定手段により当該登録商品が販売禁止対象の商品と判定されると、前記表示手段に販売禁止のメッセージを表示させることを特徴とする請求項１記載の商品販売データ処理装置。
【請求項３】
ホスト装置から配信されたメッセージを受信するとともに、そのメッセージに基づいて商品情報を編集する商品販売データ管理装置において、前記ホスト装置から配信された前記メッセージを受信するメッセージ受信手段と、このメッセージ受信手段から抽出した販売禁止の商品に対して商品情報に販売禁止情報を設定し前記商品情報を編集する商品情報編集手段と、この商品情報編集手段により編集された前記商品情報を前記商品販売データ処理装置へ配信する商品情報配信手段と、を備えることを特徴とする商品販売データ管理装置。
【請求項４】
商品販売データ処理を行う商品販売データ処理装置を管理する商品販売データ管理装置に通信ネットワークを介して接続され、前記商品販売データ管理装置に対してメッセージを配信するメッセージ配信手段を備えたホスト装置において、前記メッセージは、商品とその商品の販売禁止情報を有することを特徴とするホスト装置。
【請求項５】
商品販売データ処理を行う商品販売データ処理装置と、この商品販売データ処理装置と通信回線を介して接続される販売商品データ管理装置と、この販売商品データ管理装置とネットワークを介して接続されるホスト装置と、を備えた商品販売データ処理システムにおいて、前記ホスト装置は、前記ネットワークを介して前記販売商品データ管理装置へメッセージを配信するメッセージ配信手段を備え、前記販売商品データ管理装置は、前記ホスト装置からの前記メッセージを受信するメッセージ受信手段と、このメッセージ受信手段により受信した前記メッセージに含まれる商品の販売禁止情報を付加した商品情報を編集する商品情報編集手段と、この商品情報編集手段により編集された前記商品情報を記憶する商品情報記憶手段と、前記商品情報が前記通信回線を介して前記商品販売データ処理装置へ配信する商品情報配信手段と、を備え、前記商品販売データ処理装置は、販売商品を登録する商品登録手段と、前記通信回線を介して前記商品情報を受信する商品情報受信手段と、この商品情報受信手段により受信した前記商品情報を記憶する前記商品情報記憶手段と、を備え、前記商品登録手段により登録された商品が販売禁止対象の商品か否かを前記商品情報の前記販売禁止情報から判定する販売禁止判定手段と、この販売禁止判定手段により当該登録商品が販売禁止対象外の商品と判定されると当該登録商品を通常の商品販売処理をする商品販売処理手段と、前記販売禁止判定手段により当該登録商品が販売禁止対象の商品と判定されると当該登録商品の販売を禁止する商品販売禁止手段と、を備えたことを特徴とする商品販売データ処理システム。
【請求項６】
商品販売データ処理を行う商品販売データ処理方法において、商品ごとに販売禁止情報の商品か否かを設定された商品情報を記憶するステップと、商品登録手段で販売商品が登録されると登録された商品が販売禁止対象の商品か否かを前記販売禁止情報から判定するステップと、当該登録商品が販売禁止対象外の商品と判定されると当該登録商品を通常の商品販売データ処理をするステップと、当該登録商品が販売禁止対象の商品と判定されると当該登録商品の販売を禁止するステップと、からなることを特徴とする商品販売データ処理方法。
【請求項７】
さらに、表示手段に販売禁止のメッセージを表示させるステップとからなることを特徴とする請求項６記載の商品販売データ処理方法。
【請求項８】
商品販売データ処理装置と通信回線を介して接続される販売商品データ管理装置とネットワークを介して接続されるホスト装置とを備えた商品販売データ処理システムにおける商品販売データ処理方法において、前記ホスト装置は、前記ネットワークを介して前記販売商品データ管理装置にメッセージを配信するステップと、前記販売商品データ管理装置は、前記ホスト装置から前記メッセージを受信するステップと、受信された前記メッセージに含まれる商品の販売禁止情報を付加された商品情報に編集するステップと、編集された前記商品情報を記憶するステップと、前記商品情報が前記商品販売データ処理装置に配信されるステップと、前記商品販売データ処理装置は、前記商品情報を受信するステップと、受信した前記商品情報を記憶させるステップと、商品登録手段で販売商品が登録されると、登録された商品が販売禁止対象の商品か否かを前記販売禁止情報から判定させるステップと、当該登録商品が販売禁止対象外の商品と判定されると当該登録商品を通常の商品販売データ処理をするステップと、当該登録商品が販売禁止対象の商品と判定されると当該登録商品の販売を禁止させるステップとからなることを特徴とする商品販売データ処理方法。
【発明の詳細な説明】
【技術分野】
【０００１】
本発明は、ＰＯＳ（Point Of Sales：販売時点管理情報）ターミナル等の商品販売データ処理装置、商品販売データ管理装置、ホスト装置、商品販売データ処理システムおよび商品販売データ処理方法に関する。
【背景技術】
【０００２】
従来、大規模にチェーン展開しているコンビニエンスストアやスーパーマーケット等では、各地のチェーン店舗にそれぞれ設置されている商品販売データ管理装置いわゆるストアコントローラと、各店舗を統轄管理する本部に設置されているホストコンピュータとを、専用ネットワークで接続し、この専用ネットワークを介してホストコンピュータから各店舗のストアコントローラにデータを転送するようにしたシステムが構築されている。
【０００３】
撤去商品が発生した場合には、本部から緊急メッセージを各店舗に配信し、撤去商品の販売禁止と陳列棚から対象商品を撤去するように伝達していた。
【０００４】
各店舗での撤去商品の撤去状況は、本部では把握できず、各店舗にゆだねている。すなわち緊急メッセージの連絡の機能にとどまっている。また、緊急メッセージの開封に関してのみ各店舗から本部に戻る仕組みになっている。
【０００５】
また、撤去商品ではないが返品登録モードにおいて、返品登録のために単品コードが入力されると、入力された単品コードの商品が返品禁止商品か否かを単品テーブルの返品禁止データを参照して判別され、この判別結果に基づいて単品コードの商品が返品禁止商品でない場合には、返品登録手段の実行が許可され、返品禁止商品の場合には、返品登録手段の実行が禁止される（たとえば、特許文献１参照）。
【特許文献１】特開平６−３０９５６２号公報
【発明の開示】
【発明が解決しようとする課題】
【０００６】
ところで、緊急の撤去商品が発生した場合、緊急メッセージの開封に関してのみ各店舗から本部に戻る仕組みで、実際の各店舗での撤去商品の撤去状況は、チェーンストアを統轄する本部では把握できないという問題があった。
【０００７】
また、特許文献１には、返品商品の禁止または許可については説明されているが、撤去商品の販売禁止については記載されていない。
【０００８】
本発明は、緊急の撤去商品についてリアルタイムに販売禁止することを可能とする商品販売データ処理装置、商品販売データ管理装置、ホスト装置、商品販売データ処理システムおよび商品販売データ処理方法を提供しようとするものである。
【課題を解決するための手段】
【０００９】
本発明の商品販売データ処理装置は、商品ごとに少なくとも販売禁止情報の商品か否かの設定をした商品情報を記憶する商品情報記憶手段と、販売商品を登録する商品登録手段と、この商品登録手段により登録された商品が販売禁止対象の商品か否かを前記商品情報の前記販売禁止情報から判定する販売禁止判定手段と、この販売禁止判定手段により当該登録商品が販売禁止対象外の商品と判定されると当該登録商品を通常の商品販売データ処理をする商品販売データ処理手段と、前記販売禁止判定手段により登録商品が販売禁止対象の商品と判定されると当該登録商品の販売を禁止する商品販売禁止手段と、を備えたことを特徴とする。
【００１０】
また、商品販売データ処理を行う商品販売データ処理方法において、商品ごとに販売禁止情報の商品か否かを設定された商品情報を記憶させるステップと、商品登録手段で販売商品を登録されると登録された商品が販売禁止対象の商品か否かを前記販売禁止情報から判定するステップと、当該登録商品が販売禁止対象外の商品と判定されると当該登録商品を通常の商品販売データ処理するステップと、当該登録商品が販売禁止対象の商品と判定されると当該登録商品の販売を禁止するステップと、からなることを特徴とする。
【発明の効果】
【００１１】
本発明によれば、撤去商品についてリアルタイムに販売禁止することが可能となる。
【発明を実施するための最良の形態】
【００１２】
以下、本発明の一実施の形態について図面を参照して説明する。
【００１３】
なお、この実施の形態は、たとえば、コンビニエンスストアやスーパーマーケット等の流通チェーン本部が複数の店舗を統轄して管理するＰＯＳシステムに本発明を適用した場合である。
【００１４】
図１は、本実施の形態に係る商品販売データ処理システムであるＰＯＳシステム１１を示す模式図である。
【００１５】
図１に示すように、ＰＯＳシステム１１は、本部に設置されたホスト装置としてのホストコンピュータ１２と、各店舗にそれぞれ設置された商品販売データ管理装置としてのストアコントローラ１３が公衆回線や専用回線等の通信ネットワーク１４を介してデータ通信可能に構成している。ホストコンピュータ１２は、各店舗のストアコントローラ１３へ各種メッセージおよび商品情報等を配信する機能を有するとともに、ストアコントローラ１３から送信される商品販売データに基づいてチェーンストア全体の商品販売データの管理を行う機能を有するものである。
【００１６】
各店舗のストアコントローラ１３には、それぞれ自店舗の会計場所等に設置されている１または複数台の商品販売データ処理装置としてのＰＯＳターミナル１５が、有線または無線のＬＡＮ（Local Area Network）等の通信回線１６を介してデータ通信可能に構成している。
【００１７】
図２は、ホスト装置としてのホストコンピュータ１２のハードウェア要部構成を示すブロック図である。
【００１８】
図２に示すように、ホストコンピュータ１２は、制御部本体として各部を制御するＣＰＵ(Central Processing Unit)２１、このＣＰＵ２１が実行する制御プログラムなどの固定的データを予め記憶されたＲＯＭ(Read Only Memory)２２、可変的なデータを記憶するための各種メモリエリアが形成されるＲＡＭ(Random Access Memory)２３、日付および時刻を計時する時計部２４、通信ネットワーク１４を介して接続されるストアコントローラ１３とのデータ通信を制御する通信インターフェイス（以下、通信Ｉ／Ｆ）２５、ストアコントローラ１３へ配信する各種データファイル等を保存するＨＤＤ（Hard Disk Drive）２６のデータを読み書きするＨＤＤコントローラ２７、キーボード２８からキー操作に対応したキー信号を取り込むキーボードコントローラ２９、表示手段３０に表示データに対応して画像を表示させる表示コントローラ３１、プリンタ３２の印刷動作を制御するプリンタコントローラ３３などが設けられている。
【００１９】
そして、前記ＣＰＵ２１と、ＲＯＭ２２、ＲＡＭ２３、時計部２４、通信Ｉ／Ｆ２５、ＨＤＤコントローラ２７、キーボードコントローラ２９、表示コントローラ３１、プリンタコントローラ３３とはアドレスバス、データバス等のバスライン３４で接続している。
【００２０】
ＨＤＤ２６には、特に、図３に示すように、本部のメッセージ３５を記憶するメッセージ記憶手段としてメッセージデータファイル３６が設けられている。図３に示すように、メッセージ３５のメッセージモードとして、たとえば、普通、緊急、緊急撤去等に区分されている。メッセージコードおよびメッセージ内容がレコードされるようになっている。たとえば、販売商品が不良で緊急に撤去商品を販売禁止にする場合には、図３に示すようにメッセージ３５のメッセージモードが緊急撤去モードで撤去商品の販売禁止のメッセージコード（たとえば、１００００３）と撤去商品の商品コード（たとえば、Ａ１１１１）を設定登録するようになっている。また、販売商品の販売禁止を解除する場合は、メッセージコードを変更することにより販売禁止を解除するようになっている。
【００２１】
本実施の形態に係るホストコンピュータ１２のＣＰＵ２１は、メッセージデータファイル３６にメッセージ３５としてたとえば、緊急撤去モードでメッセージコードおよび商品コードが登録するとリアルタイムにメッセージ３５として撤去商品の販売禁止のメッセージコードおよび商品コードが通信Ｉ／Ｆ２５を介してストアコントローラ１３へ配信（ダウンロード）するように設定している。
【００２２】
図４は、商品販売データ管理装置としてのストアコントローラ１３のハードウェア要部構成を示すブロック図である。
【００２３】
図４に示すように、ストアコントローラ１３は、制御部本体として各部を制御するＣＰＵ５１、このＣＰＵ５１が実行する制御プログラムなどの固定的データを予め記憶されたＲＯＭ５２、可変的なデータを記憶するための各種メモリエリアが形成されるＲＡＭ５３、日付および時刻を計時する時計部５４、通信回線１４を介して接続されるＰＯＳターミナル１５とのデータ通信を制御する通信Ｉ／Ｆ５５、ホストコンピュータ１２およびＰＯＳターミナル１５から配信される各種データファイル等を保存するＨＤＤ（Hard Disk Drive）５６のデータを読み書きするＨＤＤコントローラ５７、キーボード５８からキー操作に対応したキー信号を取り込むキーボードコントローラ５９、表示手段６０に表示データに対応して画像を表示させる表示コントローラ６１、プリンタ６２の印刷動作を制御するプリンタコントローラ６３などを設けている。そして、前記ＣＰＵ５１と、ＲＯＭ５２、ＲＡＭ５３、時計部５４、通信Ｉ／Ｆ５５、ＨＤＤコントローラ５７、キーボードコントローラ５９、表示コントローラ６１、プリンタコントローラ６３とはアドレスバス、データバス等のバスライン６４で接続している。
【００２４】
ＨＤＤ５６には、特に、図５に示すように、商品情報６５が記憶される商品記憶手段として商品マスタファイル６６が設けられている。この商品マスタファイル６６には、本部のメッセージ３５の撤去商品情報に基づいて編集した商品情報６５として商品コード、販売禁止フラグ６７、商品名および価格等を設けている。販売禁止情報である販売禁止フラグ６７は、販売禁止の商品は「１」、販売商品は「０」をセットする。そして、販売禁止フラグ６７がセットされ商品情報６５が更新されるとリアルタイムにＰＯＳターミナル１５へ配信（ダウンロード）するように設定している。
【００２５】
図６は、商品販売データ処理装置としてのＰＯＳターミナル１５のハードウェア要部構成を示すブロック図である。
【００２６】
図６に示すように、ＰＯＳターミナル１５は、制御部本体として各部を制御するＣＰＵ８１、このＣＰＵ８１が実行する制御プログラムなどの固定的データを予め記憶されたＲＯＭ８２、可変的なデータを記憶するための各種メモリエリアが形成されるＲＡＭ８３、日付および時刻を計時する時計部８４、通信回線１４を介して接続されるストアコントローラ１３とのデータ通信を制御する通信Ｉ／Ｆ８５、ストアコントローラ１３から配信される各種データファイル等を保存するＨＤＤ８６のデータを読み書きするＨＤＤコントローラ８７、キーボード８８からキー操作に対応したキー信号を取り込むキーボードコントローラ８９、表示手段である店用表示部９０に表示データに対応して画像を表示させる表示コントローラ９１、表示手段である客用表示器９２に表示データに対応して画像を表示させる表示コントローラ９３、スキャナ９４で読み取られたバーコードデータを取り込むスキャナコントローラ９５、プリンタ９６の印刷動作を制御するプリンタコントローラ９７、モードスイッチ９８からの選択信号を入力するとともにドロワ９９への開放指令信号が出力されるＩ／Ｏポート１００などを設けている。
【００２７】
そして、前記ＣＰＵ８１と、ＲＯＭ８２、ＲＡＭ８３、時計部８４、通信Ｉ／Ｆ８５、ＨＤＤコントローラ８７、キーボードコントローラ８９、表示コントローラ９１、表示コントローラ９３、スキャナコントローラ９５、プリンタコントローラ９７およびＩ／Ｏポート１００とはアドレスバス、データバス等のバスライン１０１で接続している。
【００２８】
ＣＰＵ８１は、バスライン１０１を介して接続可能な、通信Ｉ／Ｆ８５から通信回線１６を介してストアコントローラ１３との間で相互にオンライン通信を実行できるように構成している。
【００２９】
ＰＯＳターミナル１５は、ストアコントローラ１３に備えられている商品マスタファイル６６の商品ローカルファイル１０２を格納する領域をＲＡＭ８３に確保しており、毎営業日の開店前に、ストアコントローラ１３から各ＰＯＳターミナル１５に通信回線１６を介して商品マスタファイル６６が商品ローカルファイル１０２へダウンロードされるようになっている。商品ローカルファイル１０２は、図５の商品マスタファイル６６と同様に、商品情報６５が記憶される商品情報記憶手段として機能する。このように各ＰＯＳターミナル１５が商品ローカルファイル１０２を有することによって、商品情報６５をストアコントローラ１３に問合せる処理が省略され、登録処理速度の向上につながる。さらに、撤去商品の販売禁止フラグ６７の更新時にはリアルタイムにストアコントローラ１３の商品マスタファイル６６の更新情報を商品ローカルファイル１０２へダウンロードされる。
【００３０】
また、ＲＡＭ８３には、販売商品の商品販売データを記憶する商品販売データファイル１０３が設けられている。
【００３１】
キーボード８８には、数字データを入力するための置数キー、各商品コードを入力するコード入力キー等の販売商品の商品コード、販売点数などを入力する商品登録手段１０４としての機能と、１取引の商品登録終了を宣言する登録締め手段１０５としての機能を有する。
【００３２】
前記モードスイッチ９８は、「登録」、「点検」、「精算」、「設定」などの各種業務モードなどから選択操作された業務モードの実行をＣＰＵ８１に指令する操作スイッチである。
【００３３】
ここで「登録」とは、キーボード８８またはスキャナ９４の商品登録手段１０４を介して当該商品コードが登録されると、この商品コードに対応して設定されている商品情報データを抽出し、この商品情報データに基づいて商品販売に係る商品販売データをＲＡＭ８３に商品販売登録処理を行い、さらに登録締め手段１０５により１商取引として販売される商品の登録終了が宣言されるとその取引の決済処理を実行して顧客が購入した商品販売データを記録したレシートをプリンタ９６により印刷し発行させる業務のモードである。
【００３４】
「点検」とは、登録業務によって処理された商品販売データから得られたＲＡＭ８３の商品販売集計データからレポートの内容を出力する業務である。
【００３５】
「精算」とは、「点検」と同様にＲＡＭ８３に記憶された商品販売データからレポートの内容を出力した後、この商品販売集計データの内容をクリアする業務である。
【００３６】
「設定」とは、各種業務を実行するのに必要なデータをＲＡＭ８３に予め設定する業務である。
【００３７】
前記実施の形態に係る商品販売データ処理システムにおいて緊急の撤去商品が発生した場合、ホストコンピュータ１２は、図７に示すように本部のメッセージ３５として撤去商品配信処理を行う。図７はホストコンピュータ１２のＣＰＵ２１とＲＯＭ２２の制御プログラムに基づき撤去商品配信処理の流れを示すフローチャートである。
【００３８】
まず、緊急の撤去商品が発生した場合、まず、ホストコンピュータ１２のメッセージモードを緊急撤去モードに設定する。
【００３９】
ＣＰＵ２１は、ＳＴ（ステップ）１１として図３に示すように、本部のメッセージ３５として、たとえば、メッセージモードの緊急撤去として撤去商品の販売禁止のメッセージコード（たとえば、１００００３）および撤去商品の商品コード（たとえば、Ａ１１１１）をメッセージデータファイル３６に登録する（メッセージ登録手段）。
【００４０】
ＳＴ１２としてＣＰＵ２１は、メッセージ３５として緊急撤去モードの撤去商品のメッセージコード（たとえば、１００００３）および商品コード（たとえば、Ａ１１１１）が各店舗のストアコントローラ１３へ配信する（メッセージ配信手段）。
【００４１】
図８に示すようにストアコントローラ１３は、撤去商品編集処理を行う。図８は、ストアコントローラ１３のＣＰＵ５１とＲＯＭ５２の制御プログラムに基づき撤去商品処理の動作を示すフローチャートである。
【００４２】
まず、ＣＰＵ５１は、ＳＴ２１としてホストコンピュータ１２からメッセージ３５が受信されるのを待機する。
【００４３】
ＳＴ２１―ＮＯの場合、本部のメッセージ３５が受信されないと、ＳＴ２１へ戻る。
【００４４】
ＳＴ２１―ＹＥＳの場合、ＣＰＵ５１は、本部のメッセージ３５として撤去商品のメッセージコード（たとえば、１００００３）および撤去商品の商品コード（たとえば、Ａ１１１１）を受信する(メッセージ受信手段)。
【００４５】
ＳＴ２２としてＣＰＵ５１は、メッセージ３５の撤去商品のメッセージコード（たとえば、１００００３）および撤去商品の商品コード（Ａ１１１１）を記憶するとともにメッセージ３５に基づいて商品情報６５の販売禁止フラグ６７を「１」にセットする。すなわち、商品マスタファイル６６の商品情報６５を編集（作成）する（商品情報編集手段）。
【００４６】
ＳＴ２３としてＣＰＵ５１は、編集された商品情報６５を商品マスタファイル６６へ記憶させる（商品情報記憶手段）。
【００４７】
ＳＴ２４として更新した商品情報６５を各ＰＯＳターミナル１５へ配信する（商品情報配信手段）。
【００４８】
ＰＯＳターミナル１５はモードスイッチ９８により「登録」モードが選択された状態で、ＣＰＵ８１が特に図９、図１０の各処理を実行するようにプログラムを構成している。
【００４９】
図９は、撤去商品の商品情報受信処理の動作の流れを示すフローチャートである。
【００５０】
まず、ＳＴ３１としてＣＰＵ８１は、ストアコントローラ１３から通信回線１６を介して送信された商品情報６５を受信する（商品情報受信手段）。
【００５１】
ＳＴ３２としてＣＰＵ８１は、受信した撤去商品の商品情報６５を商品ローカルファイル１０２へ記憶する（商品情報記憶手段）。
【００５２】
図１０は、商品登録手段により登録が行われたときのＣＰＵ８１の商品登録処理の動作示すフローチャートである。
【００５３】
まず、ＣＰＵ８１は、ＳＴ４１としてキーボード８８やスキャナ９４の商品登録手段１０３により販売商品の当該商品コードが商品登録されるのを待機する。
【００５４】
ＳＴ４１−ＮＯの場合、商品コードの登録が行われないときには、ＳＴ４１へ戻る。
【００５５】
ＳＴ４１―ＹＥＳの場合、当該商品コードが商品登録手段１０３により商品登録が行われる。
【００５６】
ＳＴ４２として商品販売データ登録処理を実行する。すなわち、商品登録された当該商品コードについて商品ローカルファイル１０２を参照して当該商品コードの商品情報６５を抽出し、当該登録商品の商品販売データを商品販売データファイル１０３に商品登録処理を実行する。なお、ストアコントローラ１３の商品マスタファイル６６を参照して当該商品コードの商品情報６５を抽出するようにしても勿論よい。
【００５７】
ＳＴ４３としてＣＰＵ８１は、当該登録商品が商品ローカルファイル１０２に設定されている販売禁止フラグ６７を調べ、「１」の場合は、販売を禁止する。「０」の場合は、販売を許可する。すなわち、販売禁止対象の商品か否かを判定する(販売禁止判定手段)。
【００５８】
ＳＴ４３―ＮＯの場合、ＳＴ４４としてＣＰＵ８１は、販売禁止判定手段により登録商品が販売禁止対象外の商品と判定されると当該登録商品を通常の登録商品販売処理をする（登録商品販売処理手段）。
【００５９】
ＳＴ４３―ＹＥＳの場合、ＳＴ４５としてＣＰＵ８１は、当該登録商品が販売禁止判定手段により販売禁止対象の商品と判定されると当該登録商品の販売を禁止する（商品販売禁止手段）。
【００６０】
ＳＴ４６としてＣＰＵ８１は、当該登録商品が販売禁止商品であることを表示手段である店用表示部９０と客用表示部９２へ「この商品は販売することができません」と当該登録商品の販売禁止を表示させる。
【００６１】
ＳＴ４７としてＣＰＵ８１は、登録締め手段１０５により１商取引の商品登録終了が宣言されたか否かを判定する。
【００６２】
ＳＴ４６−ＹＥＳの場合、ＳＴ４８としてＣＰＵ８１は、決済処理を行う。すなわち、ＣＰＵ８１は、商品販売データをプリンタ９６によりレシート用紙に印刷してレシートを発行する。
【００６３】
ＳＴ４６−ＮＯの場合、登録終了が宣言されないときには、ＳＴ−４１に戻る。次の商品コードが商品登録手段１０４により登録されてＳＴ４１からＳＴ４４の登録商品販売処理を繰り返すようになっている。
【００６４】
本実施の形態によれば、ホストコンピュータ１２で撤去商品のメッセージ３５を各店舗のストアコントローラ１３へ配信させることにより、ストアコントローラ１３は、撤去商品のメッセージコードとその商品コードから商品情報６５を編集し、その商品情報６５を各ＰＯＳターミナル１５に配信することで、ＰＯＳターミナル１５は、通常の販売商品の処理で商品登録時に撤去商品を販売禁止にすることができる。
【００６５】
本発明によれば、緊急の撤去商品についてリアルタイムに販売禁止することが可能となる。
【００６６】
以上説明したように、本発明は前記実施の形態に限定されるものではなく、実施の段階ではその趣旨を逸脱しない範囲で種々に変形することが可能であるのは勿論である。
【図面の簡単な説明】
【００６７】
【図１】本発明の一実施の形態に係るＰＯＳシステムの要部構成を示す模式図。
【図２】本実施の形態に係るホストコンピュータの要部構成を示すブロック図。
【図３】本実施の形態に係る本部のメッセージのレコードの一例を示す模式図。
【図４】本実施の形態に係るストアコントローラの要部構成を示すブロック図。
【図５】本実施の形態に係る商品情報のレコードの一例を示す模式図。
【図６】本実施の形態に係るターミナルの要部構成を示すブロック図。
【図７】本実施の形態に係るホストコンピュータの撤去商品配信処理の動作を示すフローチャート。
【図８】本実施の形態に係るストアコントローラの撤去商品編集処理の動作を示すフローチャート。
【図９】本実施の形態に係るＰＯＳターミナルの商品情報受信処理の動作を示すフローチャート。
【図１０】本実施の形態に係るＰＯＳターミナルの商品登録処理の動作を示すフローチャート。
【符号の説明】
【００６８】
１１…ＰＯＳシステム、１２…ホスト装置、１３…ストアコントローラ、１４…通信ネットワーク、１５…ＰＯＳターミナル、１６…通信回線（ＬＡＮ）、２１，５１、８１…ＣＰＵ、２２、５２、８２…ＲＯＭ、２３，５３、８３…ＲＡＭ、３５…メッセージ、６５…商品情報、６６…商品マスタファイル（商品情報記憶手段）、６７…販売禁止情報、８８…キーボード、９０…店用表示部（表示手段）、９２…客用表示部（表示手段）、９４…スキャナ、１０２…商品ローカルファイル（商品情報記憶手段）１０４…商品登録手段、１０５…登録締め手段。
【図１】
2008299741.tif 000003
【図２】
2008299741.tif 000004
【図３】
2008299741.tif 000005
【図４】
2008299741.tif 000006
【図５】
2008299741.tif 000007
【図６】
2008299741.tif 000008
【図７】
2008299741.tif 000009
【図８】
2008299741.tif 000010
【図９】
2008299741.tif 000011
【図１０】
2008299741.tif 000012